(57)【特許請求の範囲】
【請求項１】
テンキーなどで構成された操作入力部と、ＩＤカードに記憶されたＩＤコードを読み取り、登録の可否を判別する読取認証部と、ＩＤカードを読取らせて所定の操作を行う際に該ＩＤカードの読取操作、該所定の操作に伴う操作音、動作音を報知出力する操作／動作音出力部と、上記ＩＤカードの読取操作や認証結果に対して、所定の表示をする状態表示部とを備えたＩＤ照合装置と、
このＩＤ照合装置における上記ＩＤコードの照合結果に基づいて、自動扉の開閉或いは電気錠の施解錠を行う電気錠制御盤とで構成された入退室管理システムであって、
上記ＩＤ照合装置は、上記読取認証部に上記ＩＤコードを読み取らせる前に、上記操作入力部で特定の操作がなされたときには、上記操作／動作音出力部から上記ＩＤカードの読取操作、所定の操作に伴う操作音、動作音を報知出力させない構成とした入退室管理システム。
【請求項２】
請求項１において、
上記ＩＤ照合装置は、上記操作入力部で所定の操作がなされたときには、所定の時間の間は、上記操作／動作音出力部からは、上記操作音、動作音を報知出力しない構成とした入退室管理システム。
【請求項３】
請求項１又は２のいずれかにおいて、
上記ＩＤ照合装置は、クロックタイマを備えており、そのクロックタイマを設定操作することによって、上記操作音、動作音の報知出力を禁止する時刻帯が設定できる構成になっている入退室管理システム。
【発明の詳細な説明】
【０００１】
【発明の属する技術分野】
本発明は、ビル、マンション等の出入口などに設置されたＩＤ照合装置でＩＤカードの照合を行うことで、自動扉の開閉或いは電気錠の施解錠等を行う入退室管理システムに関する。
【０００２】
【従来の技術】
この種の入退室管理システムの一例としては、ビルの出入口や部屋の扉近くに入退室用のＩＤ照合装置が設置されており、その磁気カードリーダ部等の読取認証部には、上記ＩＤカードに記憶されたＩＤコードが予め登録されている。
【０００３】
そして、入退室者の保有する上記ＩＤカードを上記読取認証部で登録の可否を判別させると共に、入退室者が所定の操作を行うことで、上記ＩＤコードの照合結果に基づいて、自動扉の開閉或いは電気錠の施解錠等が行われていた。
【０００４】
このような入退室管理システムでは、例えば、上記ＩＤ照合装置にＩＤカードを読取らせて照合を行う際に、ＩＤカードの照合操作に伴う操作音、動作音「ピー」、「ピ、ピ、ピ」等が報知出力され、また、照合操作後にテンキーなどで所定の操作を行う際にも、その操作音、動作音（クリック音等）が操作者に聞こえるように構成されているのが通例である。
【０００５】
また、電気錠の解錠動作がなされるときには、その旨を操作者に報知するための『ピー』という解錠音が発生されることもある。
【０００６】
【発明が解決しようとする課題】
しかしながら、このようなＩＤカードやテンキーなどの操作音、動作音は、昼間ではさほど支障はないものの、夜間或いはＩＤ照合装置の設置環境によっては、その操作音、動作音が廊下や館内に響くため、操作者以外の第三者に電気錠の施解錠等が行われることを気付かれてしまい、操作者に不安感を与えるなど、セキュリティー上の問題があった。
【０００７】
尚、これらの操作音、動作音を一切発生させないようにすれば、上記難点を解消することはできるものの、これでは電気錠等の解錠が実際になされたか否かを確認することができず、しかも操作者のなかには、その操作に不安を感じる者もおり、採用することはできない。
【０００８】
本発明は、上記の問題点を解決することを目的とするもので、操作音や動作音などの報知出力が成される前に、操作者が特定の操作を行えば、その操作音や動作音などが報知出力されることなく、自動扉の開閉或いは電気錠の施解錠を行うことのできる入退室管理システムを提供している。
【０００９】
【課題を解決するための手段】
上記目的を達成するため、
請求項１に係る入退室管理システムは、テンキーなどで構成された操作入力部と、ＩＤカードに記憶されたＩＤコードを読み取り、登録の可否を判別する読取認証部と、ＩＤカードを読取らせて所定の操作を行う際に該ＩＤカードの読取操作、該所定の操作に伴う操作音、動作音を報知出力する操作／動作音出力部と、上記ＩＤカードの読取操作や認証結果に対して、所定の表示をする状態表示部とを備えたＩＤ照合装置と、このＩＤ照合装置における上記ＩＤコードの照合結果に基づいて、自動扉の開閉或いは電気錠の施解錠を行う電気錠制御盤とで構成された入退室管理システムであって、上記ＩＤ照合装置は、上記読取認証部に上記ＩＤコードを読み取らせる前に、上記操作入力部で特定の操作がなされたときには、上記操作／動作音出力部から上記ＩＤカードの読取操作、所定の操作に伴う操作音、動作音を報知出力させない構成にしている。
【００１０】
このものでは、ＩＤ照合装置の操作入力部で特定の操作（「＊」や「＃」などを入力）すれば、操作音や動作音などの報知出力を禁止する設定ができ、その後にＩＤコードの照合が行われても、操作音や照合結果を音として報知出力したり、その後の暗証番号入力などの操作音、入力された暗証番号の照合結果を音として報知出力することがない。
【００１１】
そのため、ＩＤカードの操作者は、深夜などに自動扉の開閉、或いは電気錠の施解錠を行うときでも、特定の操作を行えば、その操作音等を報知出力せずに消音できるので、第三者に操作音等を聞かれる心配がなく、安心して操作することができる。
【００１２】
なお、上記報知出力を消音させるか否かはＩＤカードの操作者の任意であり、その操作者が特定の操作を行わなければ、通常どおり、その操作音等を鳴動させながら自動扉の開閉、或いは電気錠の施解錠を行うことができる。
【００１３】
請求項２に係る入退室管理システムは、請求項１において、上記ＩＤ照合装置は、上記操作入力部で所定の操作がなされたときには、所定の時間の間は、上記操作／動作音出力部からは、上記操作音、動作音を報知出力しない構成としている。
【００１４】
このものでは、操作入力部で特定の操作（「＊」や「＃」などを入力）すれば、所定の時間（例えば、１０秒間）の間は、操作音や動作音などの報知出力を禁止する設定ができ、その時間内にＩＤコードの照合が行われても、操作音や照合結果を音として報知出力したり、その後の暗証番号入力などの操作音、入力された暗証番号の照合結果を音として報知出力することがない。
【００１５】
そのため、ＩＤカードの操作者は、深夜などに自動扉の開閉、或いは電気錠の施解錠を行うときでも、操作者の任意によって、特定の操作を行えば、その操作音等を消音することができるので、第三者に操作音等を聞かれる心配がなく、安心して操作することができるうえ、所定の時間の経過後には、通常の状態に自動的に復帰できる。
【００１６】
請求項３に係る入退室管理システムは、請求項１又は２のいずれかにおいて、上記ＩＤ照合装置は、クロックタイマを備えており、そのクロックタイマを設定操作することによって、上記操作音、動作音の報知出力を禁止する時刻帯が設定できる構成にしている。
【００１７】
このものでは、ＩＤ照合装置にクロックタイマを備えているので、そのクロックタイマを設定操作することによって、操作音等の出力を禁止する時刻帯を容易に設定、変更することができる。
【００１８】
【発明の実施の形態】
以下、本発明に係る入退室管理システムのを図面に基づき説明する。
【００１９】
図１は、本発明に係る入退室管理システムに用いられるＩＤ照合装置の一例を示す概略正面図である。
【００２０】
この入退室管理システムは、ビルの出入口や部屋の扉近くに設置される入退室用のＩＤ照合装置１と、このＩＤ照合装置１におけるＩＤコードの照合結果に基づいて、自動扉の開閉或いは電気錠の施解錠を行う電気錠制御盤（不図示）を備えている。
【００２１】
ＩＤ照合装置１には、テンキーなどで構成された操作入力部２と、ＩＤカード（不図示）に記憶されたＩＤコードを読み取り、登録の可否を判別する読取認証部３と、上記ＩＤカードを読取らせて所定の操作を行う際に所定の操作音、動作音を報知出力する操作／動作音出力部４と、上記ＩＤカードの読取操作や認証結果に対して、所定の表示をする状態表示部５が形成されている。
【００２２】
この読取認証部３には、磁気カードリーダが用いられ、上記ＩＤカード（不図示）をこの読取認証部３に通過することで、ＩＤカード（不図示）に記憶されたＩＤコードを読み取り、登録の可否が判別される。
【００２３】
また、操作／動作音出力部４には、スピーカが内装されているが、図示のようなメッシュ面を形成しなくても構わない。
【００２４】
状態表示部５は、上記ＩＤカード（不図示）の読取操作や認証結果に対して、所定の表示をするもので、例えば、ＩＤカード（不図示）の照合可能状態、取消状態、エラー状態などに応じて表示ランプが点灯される。
【００２５】
本発明に係る入退室管理システムは、このようなＩＤ照合装置１の読取認証部３に上記ＩＤコード（不図示）を読み取らせる前に、操作入力部２で特定の操作がなされたときには、操作／動作音出力部４からＩＤカードの読取操作、所定の操作に伴う操作音、動作音を出力させない構成とした点に特徴がある。
【００２６】
図２は、本発明に係る入退室管理システムでのＩＤ照合装置の操作手順を示すチャート図である。
【００２７】
以下、図２に基づき、その作用、効果を説明する。
【００２８】
先ず、ＩＤカード（不図示）の操作者は、ＩＤ照合装置１の読取認証部３にＩＤコードを読み取らせる前に、操作入力部５のテンキーを押して特定の操作（「＊」や「＃」などを入力）すれば、クロックタイマＴが作動して、所定の時間（例えば、１０秒間）の間は、操作音や動作音（以下、操作音等と略する。）などの報知出力を禁止する設定がなされる（Ｓ１〜Ｓ３）。
【００２９】
このようなクロックタイマＴを備えれば、上記操作音等の出力を禁止する時刻帯を容易に設定、変更することができる。なお、このクロックタイマＴの設定は管理人が行えば、操作者がその操作を行うことを不要にできる。
【００３０】
また、本実施例では、設定された上記所定の時間の経過後には、通常の状態に自動的に復帰されるようにしているので、操作音等の出力禁止の設定が一旦なされても、例えば、他の操作者などが操作するときには、その設定は自動的に解除されるので、他の操作者の任意によって、操作音等の報知出力を禁止する設定ができる。
【００３１】
なお、上記操作者が特定の操作（Ｓ１）を行わなければ、通常どおり、その報知出力を行ないながら自動扉の開閉、或いは電気錠の施解錠を行うことができる。
【００３２】
このように、特定の操作を行って操作音等の報知出力を禁止する設定がなされている間に、操作者は、ＩＤカード（不図示）をＩＤ照合装置１の読取認証部３に通過させ、この読取認証部３で、記憶されたＩＤコードを読み取り、その登録の可否が判別、照合される（Ｓ４、Ｓ５）。
【００３３】
このＩＤカード（不図示）の登録照合がＯＫならば、状態表示部５に表示ランプが点灯され、操作者は、自動扉の開閉、或いは電気錠の施解錠を行うため、操作入力部５のテンキーを更に押して所定の操作を行う（Ｓ６〜Ｓ８）。
【００３４】
本実施例では、所定の操作として、登録された０〜９のうちの特定のテンキーを押した後、更に登録された４桁の暗証番号を入力することで、自動扉の開閉、或いは電気錠の施解錠が行われるようにしているので、ＩＤカード（不図示）をＩＤ照合装置１の読取認証部３に通過させただけでは、上記施解錠を行うことができず、ＩＤカード（不図示）の盗難や悪戯などによって、所定の操作方法や暗証番号を知っている特定の操作者以外による自動扉の開閉、或いは電気錠の施解錠を確実に防止できる。
【００３５】
また、自動扉の開閉、或いは電気錠の施解錠が行われる前に、上記所定の時間（例えば、１０秒間）が経過した場合には（Ｓ９〜Ｓ１１）、操作音等の報知出力を禁止する設定が解除されて報知出力されるため、特定の操作者以外による自動扉の開閉、或いは電気錠の施解錠をより確実に防止できる。
【００３６】
このように本発明によれば、ＩＤカードの操作者は、深夜などに自動扉の開閉、或いは電気錠の施解錠を行うときでも、操作者の任意によって、操作音等の報知出力を禁止する設定をすれば、その操作音等を消音することができるので、第三者に操作音等を聞かれる心配がなく、安心して操作することができる。
【００３７】
【発明の効果】
本発明によれば、次のような効果がある。
【００３８】
請求項１に係る入退室管理システムによれば、ＩＤカードの操作者は、深夜などに自動扉の開閉、或いは電気錠の施解錠を行うときでも、操作者の任意によって、特定の操作を行えば、その操作音等を報知出力せずに消音できるので、第三者に操作音等を聞かれる心配がなく、安心して操作することができる。
【００３９】
なお、上記操作音等を消音させるか否かはＩＤカードの操作者の任意であり、その操作者が特定の操作を行わなければ、通常どおり、その操作音等を報知出力させながら自動扉の開閉、或いは電気錠の施解錠を行うことができる。
【００４０】
請求項２に係る入退室管理システムによれば、ＩＤカードの操作者は、深夜などに自動扉の開閉、或いは電気錠の施解錠を行うときでも、操作者の任意によって、特定の操作を行えば、その操作音等を消音することができるので、第三者に操作音等を聞かれる心配がなく、安心して操作することができるうえ、所定の時間の経過後には、通常の状態に自動的に復帰できる。
【００４１】
請求項３に係る入退室管理システムによれば、ＩＤ照合装置にクロックタイマを備えているので、そのクロックタイマを設定操作することによって、操作音等の報知出力を禁止する時刻帯を容易に設定、変更することができる。
【図面の簡単な説明】
【図  １】本発明に係る入退室管理システムに用いられるＩＤ照合装置の一例を示す概略正面図
【図  ２】本発明に係る入退室管理システムでのＩＤ照合装置の操作手順を示すチャート図
【符号の説明】
１    ＩＤ照合装置
２    操作入力部
３    読取認証部
４    操作／動作音出力部
５    状態表示部
【図１】
0004586324.tif 000002
【図２】
0004586324.tif 000003